(57)【要約】  【課題】  しいたけ、なめこ、えのきたけ等のきのこ栽培現場において、きのこの成長を害するキノコバエ等の飛翔性害虫を捕獲する為の方法および装置を提供する。 【解決手段】  本発明害虫の捕獲方法は、きのこ栽培において、当該きのこの栽培域の一部に飛翔性害虫に感知可能な量と強さの風を喚起可能な送風機を配置し、該送風機の送風経路に誘蛾灯利用補虫器、粘着シート利用補虫器、誘引物質利用補虫器等の捕虫器を対設し、該風に対する飛翔性害虫の正の走化性を利用して捕虫器にて捕獲することを特徴とする。【選択図】  図１
2005204602.tif 000002
【特許請求の範囲】
【請求項１】
きのこ栽培において、当該きのこの栽培域の一部に飛翔性害虫に感知可能な量と強さの風を喚起可能な送風機を配置し、
該送風機の送風経路に捕虫器を対設し、
該風に対する飛翔性害虫の正の走化性を利用して捕虫器にて捕獲することを特徴とする害虫の捕獲方法。
【請求項２】
送風機の風速を、０．１ｍ／秒〜１０ｍ／秒の範囲とした請求項１記載の害虫の捕獲方法。
【請求項３】
捕虫器を、誘蛾灯利用補虫器、粘着シート利用補虫器、誘引物質利用補虫器のうち少なくともいずれか一つとした請求項１または２記載の害虫の捕獲方法。
【請求項４】
きのこの栽培域の一部に配する飛翔性害虫に感知可能な量と強さの風を喚起可能な送風機と、
該送風機の送風経路に対設した捕虫器とから成り、
該風に対する飛翔性害虫の正の走化性を利用して捕虫器にて捕獲することを特徴とするきのこ栽培における飛翔性害虫の捕獲装置。
【請求項５】
送風機の風速を、０．１ｍ／秒〜１０ｍ／秒の範囲とした請求項４記載の害虫の捕獲装置。
【請求項６】
捕虫器を、誘蛾灯利用補虫器、粘着シート利用補虫器、誘引物質利用補虫器のうち少なくともいずれか一つとした請求項４または５記載の害虫の捕獲装置。
【発明の詳細な説明】
【背景技術】
【０００１】
本発明は、しいたけ、なめこ、えのきたけ等のきのこ栽培現場において、きのこの成長を害するキノコバエ等の飛翔性害虫を捕獲する為の方法および装置に関する。
【０００２】
きのこ栽培で問題となる害虫としては、キノコバエ、ガガンボ、甲虫等が代表的なものであるが、これらの害虫は屋外より栽培施設内に侵入し、きのこやきのこ栽培用の培地を食害し、商品価値を低下させるとともに、培地の雑菌汚染の原因にもなり、収量性にも大きな影響を与える。
【０００３】
これら害虫を排除する手段として、従来より、（ａ）誘蛾灯を利用した補虫器や、（ｂ）粘着シートを利用した補虫器や、（ｃ）化学的な誘引物質を利用した補虫器や、（ｄ）あるいはこれらの組み合わせによる補虫器等が開発され、ある程度の効果が得られている。
例えば従来、クロバネキノコバエ類の捕虫器として、青色蛍光灯を所定箇所に設置してクロバネキノコバエ類を誘引するとともに、この誘引経路上に、表面の少なくとも一部分に粘着剤が塗布された透明シートを排設して、誘引されたクロバネキノコバエ類を捕獲する方法が提案されている（特許文献１）。
しかし、これらは捕獲効果において、満足できる状態には至っておらず、また、安全性が大切なきのこ栽培において、殺虫剤のような薬剤を使用することは好ましくない等の欠点を有している。
【特許文献１】特開平８−４７３６１号公報
【発明の開示】
【発明が解決しようとする課題】
【０００４】
本発明は、上記技術の効果をさらに増大し、捕獲効果を高めるための技術を開発しようとするものであり、キノコバエ等の飛翔性昆虫の生態に着目し、風（風の動き）に対して正の走化性（風に向かって飛翔する）を示すことを利用した捕獲方法を考案し、その捕獲効果を確認したものである。
【課題を解決するための手段】
【０００５】
請求項１記載の害虫の捕獲方法は、きのこ栽培において、当該きのこの栽培域の一部に飛翔性害虫に感知可能な量と強さの風を喚起可能な送風機を配置し、該送風機の送風経路に捕虫器を対設し、該風に対する飛翔性害虫の正の走化性を利用して捕虫器にて捕獲することを特徴とする。
請求項２記載の発明は、送風機の風速を、０．１ｍ／秒〜１０ｍ／秒の範囲としたことを特徴とする。
請求項３記載の発明は、捕虫器を、誘蛾灯利用補虫器、粘着シート利用補虫器、誘引物質利用補虫器のうち少なくともいずれか一つとしたことを特徴とする。
請求項４記載のきのこ栽培における飛翔性害虫の捕獲装置は、きのこの栽培域の一部に配する飛翔性害虫に感知可能な量と強さの風を喚起可能な送風機と、該送風機の送風経路に対設した捕虫器とから成り、該風に対する飛翔性害虫の正の走化性を利用して捕虫器にて捕獲することを特徴とする。
請求項５記載の発明は、送風機の風速を、０．１ｍ／秒〜１０ｍ／秒の範囲としたことを特徴とする。
請求項６記載の発明は、捕虫器を、誘蛾灯利用補虫器、粘着シート利用補虫器、誘引物質利用補虫器のうち少なくともいずれか一つとしたことを特徴とする。
【発明の効果】
【０００６】
きのこ栽培域の近傍で飛翔性害虫が飛んできて、送風機によって該害虫に感知可能な量の風が吹き当てられると、官能的に正の走化性を備えた害虫は、送風機の送風源に向かって飛翔する。そして、該送風機の送風経路に捕虫器が設けられているので、飛翔過程にあって誘蛾灯又は粘着シート、誘因物質に係わり、これに捕獲される。その捕獲率は、既存の補虫器単独での場合と比較して、明らかに増大する。その結果、これまで食害を受けていた栽培施設で導入することにより、安全に、且つ、効率的に飛翔性の害虫を駆除することができ、収量性の向上やきのこの品質向上が期待される。
【発明を実施するための最良の形態】
【０００７】
本発明に係る実施形態の一例を図１によって示す。本発明は、飛翔性害虫の風に対する正の走化性を利用したものである。
即ち、該飛翔性害虫は、例えば、キノコバエは、無風状態では自由に飛翔していても、風が吹いてくると、その風の吹いてくる方向に向かって飛翔するという特異的な性格を備えている（これを正の走化性という）。
そこで、これら性格を利用して、きのこ栽培において、当該きのこの栽培域の一部に飛翔性害虫に感知可能な量と強さの風を喚起可能な送風機を配置し、該送風機の送風経路に捕虫器を対設する。
【０００８】
当該補虫器（２）としては、例えば、誘蛾灯利用補虫器、粘着シート利用補虫器、誘引物質利用補虫器等があげられる。
即ち、誘蛾灯捕虫器は、害虫を誘致する光源と、誘致された害虫を殺滅する装置とから成り、該光源には水銀灯、ブラックライト、青色蛍光灯等が用いられ、殺滅装置には、水盤式、乾盤式、電熱式等がある。
粘着シート捕虫器は、粘着剤の粘着による捕捉力で害虫を捕らえ、殺滅する装置である。
誘因物質利用捕虫器とは、発酵性の果汁等の当該害虫にとって誘因する化学的物質を備え、この物質によって害虫を誘き出し、殺滅する装置である。
又、これらが組み合わされたもの、例えば、粘着シートに匂い成分を含有させたもの等であっても良い。
【０００９】
次に、上記に利用する送風装置とは、飛翔性害虫に対し、正の走化性を喚起し得る刺激の与えられる送風機で、つまり、飛翔性害虫に感知可能な量と強さの風を喚起可能な送風機をいい、具体的には、家庭用の扇風機、循環扇、スクリューファン等、種々のものが利用できる。
【００１０】
送風装置による風量としては、０．１ｍ／秒〜１０ｍ／秒の範囲で併用する補虫器により調整する。０．１ｍ／秒以下では、風の効果が期待できず、１０ｍ／秒以上では虫が吹き飛ばされてしまうからである。
【００１１】
本発明の作用を説明する。
先ず、飛翔性害虫が飛んでいると、無風の状態では、風に関係なく自由な飛翔が続けられる。そこで、該害虫に感知可能な量の風が、害虫に吹き当てられると、官能的に正の走化性を備えた害虫は、その風の吹く方向に向かって飛翔を開始する。即ち、本発明にあっては、送風機（１）の、送風源に向かって飛翔することになる。
ところが、該送風機（１）にあっては、その送風経路において捕虫器（２）が設けられている。例えば、誘蛾灯にあっては、その電線の高圧が印可される。粘着シートにあっては、粘着剤が障害物として存置される。誘因物質では、水に溶解された誘因物質がある。その結果、当該害虫に高電圧が加えられて死滅し、粘着シートにあっては、そのシートに害虫が粘着固定されて、捕えられ、又、誘因物質にあっては、そこに水没して溺死する。
斯くして、従来捕虫器単体では、捕獲効果が不充分であったものが、本発明による風への正の走化性を利用することで捕集効果が格段に上昇する。後述する如く、粘着シート捕虫器では、従来のものに対し約３倍の効果が確認されている。
このとき、高い安全性が要求されるきのこ栽培にあって、特別な殺虫剤等を要さず、安全性が維持される。
【実施例１】
【００１２】
以下に本発明に係るきのこ栽培施設での飛翔性の害虫捕獲効果を実施例に従って説明するが、この発明は以下の実施例に限定されるものではない。
【００１３】
栽培が終了し、主としてクロバネキノコバエが繁殖しているきのこ栽培用ハウス二棟で捕獲効果を検討した。一棟では、既存の誘蛾灯を利用した補虫器（ムシフローター：商標名）を単独で使用して捕獲効果を検討した（対照例１）。
もう一棟では、上記の誘蛾灯を利用した補虫器に家庭用扇風機を約２００ｃｍの間隔を置いて設置し、弱の強度で送風を行った。
本発明の効果について検討した（実施例）。
効果の確認は、７日間でそれぞれの補虫器に捕獲（補虫器の水に浮遊）されたクロバネキノコバエの数を数えて判断した。実施中のハウス内の温度は昼夜、２５℃を維持した。なお、試験開始時には、市販の粘着シート型補虫器に２４時間で捕獲される数を調査し、両ハウスに生息するクロバネキノコバエの数がほぼ同数であることを確認してから実施した。
【００１４】
上記の実施形態による成果をそれぞれ表１に示す。
【表１】
2005204602.tif 000003
【産業上の利用可能性】
【００１５】
本発明は、しいたけ、なめこ、えのきたけ等のきのこ栽培において、きのこの成長を害するキノコバエ等の飛翔性害虫を捕獲する為の方法に利用できる。
【図面の簡単な説明】
【００１６】
【図１】本発明に係る捕獲方法の実施形態の模式図
【符号の説明】
【００１７】
１  送風機
２  捕獲器本体
３  誘蛾灯
４  水
【図１】
2005204602.tif 000004